(57)【特許請求の範囲】
【請求項１】
電力貯蔵アセンブリが並んで位置決めされた電力貯蔵モジュールにおいて、前記電力貯蔵アセンブリを支持するための支持装置であって、前記支持装置は、
電気絶縁材製でありかつ主平面に沿って延びるプレートと、
前記プレートに形成された貫通開口部であって、各前記貫通開口部は、前記貯蔵アセンブリの縦軸が前記主平面に垂直に延びることができるように、それぞれの前記電力貯蔵アセンブリを収容するのに適し、前記貫通開口部の形状は、前記電力貯蔵アセンブリの側面の断面形状に対応し、前記貫通開口部の寸法は、前記電力貯蔵アセンブリの中心部分を支持する力によって前記貫通開口部に収めるのに適し、前記電力貯蔵アセンブリは、前記貫通開口部の両側へ延在する、貫通開口部と、
少なくとも１つの前記電力貯蔵アセンブリを前記電力貯蔵モジュールの電子カードに電気的に接続するための電気的接続手段を収容するのに適した、電気絶縁材製の少なくとも１つの支持体と、
前記電力貯蔵モジュールの前記電子カード、及び、前記電子カードをベースに取り付けるための取付手段を収容するのに適しており、前記プレートの一端側に、前記プレートに垂直に延在するパネルを含む前記ベースと、
を含み、
前記電子カードは、前記電力貯蔵アセンブリの充電および放電を管理して前記電力貯蔵アセンブリの電気特性の均衡を保つ電子制御カードであり、
前記支持体、前記ベースおよび前記プレートは単一ユニットである、支持装置。
【請求項２】
前記支持体の少なくとも１つが、前記プレートに垂直に延在する少なくとも１つのチャンバーを含み、各前記チャンバーが、それぞれの電気的接続プラグを収容するのに適している、請求項１に記載の支持装置。
【請求項３】
各前記チャンバーが、一方の端部で開口し、かつ前記電気的接続プラグを取り付けるための束縛部を含む、請求項２に記載の支持装置。
【請求項４】
前記支持体の少なくとも１つが、電気絶縁材製のガイド手段を含み、これらガイド手段は、前記支持装置に設けられた通路チャネルに沿ってケーブルを案内するために前記プレートの外側の方に向けて延在し、少なくとも１つの接続ケーブルが、少なくとも１つの前記電力貯蔵アセンブリを前記電子カードに電気的に接続できる、請求項１〜３のいずれか一項に記載の支持装置。
【請求項５】
前記ガイド手段が２つのフィンガーを含み、これらフィンガーは、前記プレートに垂直に延在し、かつ前記ケーブル通路チャネルの両側に位置決めされている、請求項４に記載の支持装置。
【請求項６】
各前記フィンガーが突出物を含み、これら突出物は、前記ケーブル通路チャネルの方向に、前記プレートに平行に延在して、前記フィンガー間に前記ケーブルをクリップ留めおよび支持できるようにする、請求項５に記載の支持装置。
【請求項７】
前記支持体の少なくとも１つが前記プレートと一体化され、前記電気的接続手段が、前記支持体および前記プレートからなる前記電力貯蔵アセンブリに埋め込まれている、請求項１〜６のいずれか一項に記載の支持装置。
【請求項８】
各前記貫通開口部が、前記電力貯蔵アセンブリに前記支持装置をシミングおよびセンタリングするために少なくとも１つのシミング壁を更に含み、前記シミング壁は前記開口部に配置され、かつ前記プレートに垂直に延在している、請求項７に記載の支持装置。
【請求項９】
前記支持装置が、前記プレートの一方の面上で、前記プレートに垂直に延在する少なくとも１つのシャンクを更に含み、前記シャンクは、前記電力貯蔵モジュール内での前記支持装置のシミングを許容するために前記電力貯蔵モジュールの壁と接触するのに適している、請求項１〜８のいずれか一項に記載の支持装置。
【請求項１０】
前記支持装置が、前記支持装置を請求項１〜９のいずれか一項に記載の別の支持装置に結合するために、前記プレートの縁部に配置された結合手段を更に含む、請求項１〜９のいずれか一項に記載の支持装置。
【請求項１１】
前記支持装置が、前記支持装置にセンサーを取り付けるための手段を更に含む、請求項１〜１０のいずれか一項に記載の支持装置。
【請求項１２】
前記支持装置が、前記電力貯蔵モジュールの壁から前記電力貯蔵アセンブリを電気的に絶縁するために、前記プレートに垂直な少なくとも１つの壁を前記プレートの縁部に更に含む、請求項１〜１１のいずれか一項に記載の支持装置。
【請求項１３】
前記電力貯蔵モジュールの２つの対向する壁を結合することを意図した補強材を案内するために、前記主平面に垂直に延在する手段を含む、請求項１〜１２のいずれか一項に記載の支持装置。
【請求項１４】
少なくとも１つの前記電子カード、および／または
前記電力貯蔵アセンブリの端子に接続される少なくとも１つの電気的接続プラグ、および／または
前記電子カードに接続される少なくとも１つの接続プラグ、および／または
前記電力貯蔵アセンブリの前記端子を前記電子カードに接続するための少なくとも１つの接続ケーブル、および／または
少なくとも１つのセンサー
を組み込むことを特徴とする、請求項１〜１３のいずれか一項に記載の支持装置。
【請求項１５】
少なくとも２つの電力貯蔵アセンブリが配置されるハウジングを含む電力貯蔵モジュールにおいて、前記電力貯蔵モジュールが、請求項１〜１４のいずれか一項に記載の支持装置を含み、各前記電力貯蔵アセンブリが、前記中心部分を支持する前記力によって収められるようにそれぞれの前記貫通開口部に位置決めされ、かつ前記プレートの両側面で前記支持装置の前記プレートから突出していることを特徴とする、電力貯蔵モジュール。
【請求項１６】
前記電力貯蔵アセンブリが前記支持装置に配置されたとき、少なくとも２つの隣接する前記電力貯蔵アセンブリが、前記電力貯蔵アセンブリの２つの端面に配置されかつ前記プレートに平行に延びる接続リンクによって電気的に接続され、前記支持装置は、請求項２または３に記載の前記チャンバーに配置された接続プラグを含み、前記接続プラグが、前記リンクに垂直に前記接続リンクから突出して存在する舌部と協働可能である、請求項１５に記載の電力貯蔵モジュール。
【請求項１７】
各電力貯蔵アセンブリを支持装置のそれぞれの貫通開口部に、前記中心部分が前記貫通開口部に収められるとともに、各電力貯蔵アセンブリが前記プレートの両側面において前記支持装置の前記プレートから突出するように力によって挿入するステップと、
２つの隣接する電力貯蔵アセンブリを電気的に接続することを意図した接続リンクを、前記電力貯蔵モジュールの電子カードに前記接続リンクを電気的に接続するために、前記支持装置に配置された接続手段に電気的に接続するステップと、
２つの隣接する電力貯蔵アセンブリに、前記隣接する電力貯蔵アセンブリを電気的に接続するために、前記接続リンクをはんだ付けするステップと、
前記電子カードを前記ベースに取り付けるステップと、
を含む、請求項１５または１６に記載の電力貯蔵モジュールの製造方法。
【請求項１８】
前記製造方法が、前記支持装置に前記接続手段を配置することからなるステップを更に含み、前記配置ステップが、
前記プレートに垂直に延在するガイド手段を使用して、前記支持装置のプレートに接続ケーブルを配置するステップと、
前記支持装置のチャンバーに接続プラグを配置するステップと、
前記接続ケーブルを前記接続プラグに電気的に接続するステップと、
を含む、請求項１７に記載の製造方法。
【発明の詳細な説明】
【技術分野】
【０００１】
本発明は、電力貯蔵アセンブリ、特に、並んで位置決めされかつ電気的に接続される複数の電力貯蔵アセンブリを含むモジュールの一般的な技術分野に関する。
【背景技術】
【０００２】
本発明の範囲内では、「電力貯蔵アセンブリ」は、コンデンサ（すなわち、２つの電極と、その間の絶縁体とを有する受動システム）、または超コンデンサ（すなわち、少なくとも２つの電極、電解質、および少なくとも１つのセパレータを含むシステム）、またはリチウム電池タイプの電池（すなわち、少なくとも１つのアノード、少なくとも１つのカソード、およびアノードとカソードとの間に電解質溶液を含むシステム）のいずれかを意味する。
【０００３】
電力貯蔵アセンブリは、一般的に、チューブ状シェルを含み、チューブ状シェルは、その端部の一方において少なくとも蓋によって閉鎖され、かつ、容量性巻き線（ｃａｐａｃｉｔｉｖｅ  ｗｉｎｄｉｎｇ）および液体電解質が配置されている。
【０００４】
従来技術から既に知られているものは、接続リンクによって対にされて接続されたいくつかの電気エネルギー貯蔵アセンブリが配置されたハウジングを含む電力貯蔵モジュールである。
【０００５】
これらのモジュールは、一般的に、電力貯蔵アセンブリの充電および放電を管理してアセンブリの電気特性の均衡を保つ電子制御カードを含む。
【０００６】
これを達成するために、電子カードは、全ての電力貯蔵アセンブリに、それぞれの導電性ケーブルを使用して電気的に接続されている。
【０００７】
そのようなモジュールの組み立てスキームは以下の通りである。貯蔵アセンブリは並んで位置決めされる。貯蔵アセンブリは、接続リンクを貯蔵アセンブリの蓋にはんだ付けすることによって、対にされて電気的に接続される。一旦全ての接続リンクがアセンブリにはんだ付けされたら、各貯蔵アセンブリを電子カードに接続できるようにする接続ケーブルを配置する。
【０００８】
１つのモジュールが多数の貯蔵アセンブリ（１００個まで）を含むことができるため、モジュール内にケーブルを配置することは極めて複雑であり、かつモジュールの組み立てには著しく時間がかかることが理解される。
【発明の概要】
【発明が解決しようとする課題】
【０００９】
本発明の１つの目的は、電力貯蔵モジュールの組み立て作業を容易にすることができる装置およびプロセスを提案することである。
【課題を解決するための手段】
【００１０】
この目的を達成するために、本発明は、エネルギー貯蔵モジュール内に並んで配置された電力貯蔵アセンブリを支持する装置であって、
電気絶縁材製でありかつ主平面に沿って延在するプレートと、
プレートに作製された凹部であって、各凹部は、貯蔵アセンブリの縦軸が主平面に実質的に垂直に延びることができるように、それぞれの電力貯蔵アセンブリを受け入れることを意図した、凹部と、
少なくとも１つの貯蔵アセンブリを電子カードまたはモジュールに電気的に接続するための電気的接続手段を収容することを意図した、絶縁材製の少なくとも１つの支持体と
を含む装置を提案する。
【００１１】
本発明による装置は、要素を相対的に位置決めして互いに隔離することを容易に可能にするだけでなく；要素の挿入前に、電気的接続の全てまたは一部をプレートへ直接組み込むことを達成することを可能にする。これは、組み立てを極めて容易にする。さらに、これにより、装置にアセンブリがあるかないかに関して接続要素の独立性を考慮して、主組み立てラインの上流の装置に接続要素を配置できるため、かなりの時間を節約できる。
【００１２】
本発明によるモジュールの好ましいが非限定的な態様は、以下の通りである：
装置は、単一ユニットに形成され、かつ単一プレートを含む。２つのプレートを含む装置を提供する必要はない。それゆえ、装置に関連するコストを削減できる、
装置は、１つまたはいくつかの支持体のおかげで、複数の別個の接続手段の受け入れができ得る、
装置は、特に成形によって、プラスチックで作製され、それにより、装置および装置が含む異なる機能要素の形状に関して、ほとんど制約をなくすことが可能になる、
支持体、または支持体の少なくとも１つは、プレートに実質的に垂直に延在する少なくとも１つのチャンバーを含み、各チャンバーは、それぞれの電気接続プラグを収容することを意図している。この接続プラグは、特に、アセンブリの端子に電気的に接続される相補的なコネクタと協働可能である、
各チャンバーは、一方の端部で開放することができ、かつ電気接続プラグを取り付けるための束縛部（ｔｉｅ）を含む。束縛部は、特に、チャンバーの内部の方へ、主平面に実質的に平行に延在することができ、束縛部は、チャンバーの開口部に対面してチャンバーへの接続プラグの挿入を容易にする傾斜面と、接続プラグが一旦チャンバーに挿入されたら接続プラグをロックするための、主平面に平行な平らな面とを含む、
支持体、または支持体の少なくとも１つが、プレートの外側の方へ延在する電気絶縁材製のガイド手段を含み、このガイド手段は、少なくとも１つの貯蔵アセンブリを電子カードに電気的に接続できる少なくとも１つの接続ケーブルを、装置に形成されたケーブルチャネルに沿って案内する。これらのガイド手段は、特に、少なくとも部分的にプレートに垂直に延在する、
ガイド手段は、好ましくは、プレートに垂直に延在しかつケーブル通路チャネルの両側に位置決めされた２つのフィンガーを含む。前記フィンガーは、相互にオフセットしているか、またはケーブル通路チャネルに沿って互いに対面している。各フィンガーは、特に、ケーブルチャネルの方向に、プレートに平行に延在する突出物を含み、前記フィンガー間にケーブルをクリップ留めおよび保持することを可能にする。２つのフィンガーが互いに対面するように配置されるとき、それらフィンガーは弾性クランプを形成する。フィンガーがオフセットしているとき、それらフィンガーは、ケーブルチャネルが巻回を作るときのケーブルの案内を制御することを可能にする、
チャンバーおよびケーブル用のガイド手段が装置内で組み合わせられるとき、それらは、プレートの同一の面にまたは２つの対向する面に設けられ得る、
支持体、または支持体の少なくとも１つはまた、プレートと一体化することができ、電気的接続手段は、支持体およびプレートからなるアセンブリに埋め込まれる。これは、特に、ケーブルを考慮する場合である、
各凹部は貫通開口部からなり、貫通開口部の形状は、電力貯蔵アセンブリの側面の断面形状に対応し、開口部の寸法は、前記開口部に電力貯蔵アセンブリを収める大きさである。それゆえ、貯蔵アセンブリの中心部分に、アセンブリの長手方向端部から離れてプレートを位置決めすることが可能であり、アセンブリを電気的に相互接続するためおよびモジュールをヒートシンクするために既に使用されているアセンブリの端面を自由にする。そのように装置を構成することによって、装置を要素の中心部分に配置でき、装置の設計では、電気的および熱的な制約および接続リンク間の接触面（一般的に要素の外面に配置する）を考慮する必要がないため、装置の設計を単純にでき、かつ前記要素を最大にし、その結果として、アセンブリ間の熱伝導を最大にするが、電気抵抗を最小にする、
各凹部は、特に、電力貯蔵アセンブリ上で装置をシミング（ｓｈｉｍｍｉｎｇ）およびセンタリングするための少なくとも１つのシミング壁を含み、前記シミング壁は、開口部に配置され、かつプレートに垂直に、特にその両側に延在する。シミング壁は、凹部の縁部に配置され、かつプレートから突出することに留意されたい。そのようなシミング壁の端部は、貯蔵アセンブリの蓋の周辺スカートの一方の端部と協働可能であり、それにより、装置内にアセンブリをより高精度に位置決めすることが可能になる、
装置は、その面の一方の上のプレートに垂直に延在する少なくとも１つのシャンクを更に含み、前記シャンクは、電力貯蔵モジュールの壁と接触して、電力貯蔵モジュール内に装置をクランプできるようにすることを意図している。シャンクは、モジュールの壁に取り付けるための手段を更に含み得る。シャンクは、特に、モジュールの壁に装置をねじ込むことによる取り付けに対して、長手方向に延在するねじ付き盲開口部を含む、
装置は、電子カードを収容することを意図したベースと、前記ベース上に電子カードを保持するための取付手段とを更に含む。これらの手段は、例えばねじ付きスタッドを含み、電子カードは、ねじ込みによってベースに取り付けられる。ベースは、その端部の一方に、例えばプレートに垂直に延在するパネルを含む。パネルは、特に、プレートに対して配置されて、プレートの両側面に延在するようにする；装置は、プレートの周囲に配置された結合手段を更に含み、前記装置を、請求項のいずれか一項に記載の別の保持装置に結合する。
装置は、装置にセンサーを固定するための手段、例えばクリップを更に含む、
装置は、プレートの周辺に、プレートに実質的に垂直である少なくとも１つの壁を更に含み、電力貯蔵アセンブリを電力貯蔵モジュールの壁から電気的に絶縁する。装置は、好ましくは、その側面のそれぞれにそのような壁を含む。少なくとも１つの壁、好ましくは各壁は、好ましくは、プレートの対応する側面の寸法全体にわたって、およびアセンブリの高さ以上の高さで延在する。これら壁は全て一緒に、特に、ケーシングを形成する。これら壁の各々は、特に、プレートの両側面に延在するようにプレートに対して配置されていることに留意されたい、
装置は、主平面に実質的に垂直に延在して、モジュールの２つの対向する壁を接続することを意図する１つ以上の補強材を案内するための手段を更に含む。これらの手段は、特に、凹部間に延在するシャンクを含み、およびその高さは、モジュールの高さに実質的に等しい、
装置は、好ましくは、
上述の通り特にベース上に、少なくとも１つの電子カード、および／または
上述の通り特に装置のチャンバー内に配置された、アセンブリの１つの端子に少なくとも１つの電気接続プラグ、および／または
電子カードに接続するための少なくとも１つのプラグ、および／または
アセンブリの端子を電子カードに接続するための、特に上記で規定されたようにガイド手段によって画成されたケーブルチャネル内に少なくとも１つの接続ケーブル、
特に上記で規定されたように取付手段を使用して取り付けられた少なくとも１つのセンサー
を組み込む。
【００１３】
本発明はまた、少なくとも２つの電力貯蔵アセンブリが配置されかつ本発明による支持装置を含むハウジングを含む電力貯蔵モジュールに関する。
【００１４】
装置のプレートは、好ましくは、貫通開口部を含み、およびアセンブリがプレートからその両側で突出するように配置されている。換言すると、プレートは、貯蔵アセンブリの中心部分を越えて延在する、すなわち、プレートと、アセンブリの長手方向端部の各々との間の距離は、前記２つの長手方向端部間の距離の２０％よりも大きい。上記で説明したように、プレートが、機能領域であるアセンブリの端部からある距離でアセンブリに接触することは非常に好都合である。
【００１５】
各アセンブリは、側壁を含みかつ端部の少なくとも一方において開放している本体と、その開放端部において本体を閉鎖する少なくとも１つの蓋とを含む。各蓋は、端面と、その長手方向寸法の一部分にわたって側壁を覆うスカートとを含む。プレートは、蓋のうちの１つのスカートによって覆われないその１つまたは複数の領域において側壁と接触するように、アセンブリに対して配置される。
【００１６】
装置は、開口部に配置されかつプレートに垂直に延在するシミング壁を更に含むことができ、シミング壁の端部は、特にプレートの平面に実質的に平行な平面に配置された実質的に線形の支柱を介して、アセンブリの蓋の、または蓋のうちの１つの蓋のスカートの端部と協働する。それゆえ、プレートがアセンブリに対して動くことなく、アセンブリの中心部分にプレートを簡単に保持することが可能になる。凹部および／またはシミング壁は、アセンブリの側壁の寸法よりも大きな寸法を有するが、蓋のスカートの寸法よりも小さな寸法にされていることに留意されたい。
【００１７】
好ましくは、アセンブリ、または少なくとも２つの隣接するアセンブリは、アセンブリが支持装置に配置されたとき、アセンブリの２つの端面に配置されかつプレートに実質的に平行に延在する接続リンクによって電気的に接続され、この場合、装置は、請求項２および３で定義するようにチャンバー内に配置された接続プラグを含み、前記接続プラグは、リンクに実質的に垂直に、接続リンクから突出して配置された舌部と協働可能である。
【００１８】
本発明はまた、本発明によるモジュールを製造するための方法であって、
各貯蔵アセンブリを支持装置のそれぞれの凹部に、好ましくはアセンブリがプレートからその両側で突出するように挿入するステップと、
２つの隣接する貯蔵アセンブリを電気的に接続することを意図した接続リンクを、モジュールの電子カードに接続リンクを電気的に接続するために、支持装置に配置された接続手段に電気的に接続するステップと、
２つの隣接する貯蔵アセンブリに、前記隣接する貯蔵アセンブリを電気的に接続するために、接続リンクをはんだ付けするステップと
を含む方法に関する。
【００１９】
有利には、方法は、特に挿入ステップ前に、支持装置に接続手段を配置することからなるステップを更に含み、前記配置ステップは：
プレートに垂直に延在するガイド手段を使用して、装置のプレートに接続ケーブルを配置するステップと、
装置のチャンバーに接続プラグを配置するステップと、
接続ケーブルを接続プラグに電気的に接続するステップと
を含む。
【００２０】
アセンブリの一部分、特に半分を挿入して、これらアセンブリの蓋がプレートの第１の側面に配置されるようにし、その後プレートをひっくり返して、アセンブリの他の部分、特にもう一方の半分を挿入して、それらの蓋がプレートの他方の側面に位置するようにすることが可能であることに留意されたい。
【００２１】
本発明の他の特徴、目的、および利点は、さらに、以下の記載から明らかとなり、その記載は純粋に説明のためのものであり、限定するものではなく、および添付の図面を参照して読む必要がある。
【図面の簡単な説明】
【００２２】
【図１】電力貯蔵アセンブリ用の支持装置の一実施形態を概略的かつ斜視的に示す。
【図２】電力貯蔵アセンブリ用の支持装置の別の実施形態を概略的かつ斜視的に示す。
【図３】支持装置の１つのチャンバーの一部分を概略的かつ斜視的に示す。
【図４】接続リンクによって接続された２つの隣接する電力貯蔵アセンブリを概略的に示す。
【図５】支持装置に装着された複数の電力貯蔵アセンブリを概略的に示す。
【図６】支持装置の詳細を概略的に示し、ケーブルを案内する手段を示す。
【図７】支持装置の詳細を概略的に示し、センサーを取り付けるための保持装置のクリップを示す。
【図８】ケーブルを案内するための支持装置のクランプを示す。
【図９】支持装置のベースを示す。
【図１０】モジュールを製造する方法のステップを示す。
【発明を実施するための形態】
【００２３】
以下、図１〜９を参照して支持装置の異なる実施形態、ならびに図１０を参照して貯蔵アセンブリの製造方法の例を説明する。これらの異なる図面では、支持装置の等価要素には同じ参照符号が付されている。
【００２４】
１．支持装置
図１を参照して説明すると、支持装置は、プレート１、６個の凹部、および支持体を含む。
【００２５】
プレートは、実質的に主平面（Ｐ）内に延在する。このプレートは、プラスチックなどの電気絶縁材製である。
【００２６】
プレート１に凹部２が形成されている。各凹部２は、１つ（またはそれを超える数）の電力貯蔵アセンブリ３を受け入れることを意図している。貯蔵アセンブリ３が凹部に挿入されると、貯蔵アセンブリの縦軸は主平面Ｐに垂直に延びる。
【００２７】
支持体は、接続手段、特に、モジュールの電子カード（図示せず）を電力貯蔵アセンブリに接続できるようにする接続ケーブルを収容することを意図している。
【００２８】
支持体が存在することによって、特に、電子カードと色々な貯蔵アセンブリとの間に延びる接続ケーブル用の通路チャネルを規定することによって、貯蔵アセンブリの電気特性の管理と均衡とを保つために使用される電子カードへのアセンブリの接続手段の配置を容易にすることが可能になる。
【００２９】
１．１．支持体
支持体は、プラスチックなどの絶縁材製である。好ましくは、支持体およびプレートは単一ユニットであり、かつ成形によって得られる。
【００３０】
支持体は、接続プラグを収容するための１つ（またはそれを超える数）のチャンバー１１または凹部１５、ならびに保持タブ１１２および／または１つ（またはそれを超える数）のガイド１１３などのケーブルガイド手段を−別々にまたは組み合わせて−含むことができる。
【００３１】
１．１．１．接続プラグを収容するための手段
１．１．１．１．チャンバー（アセンブリの１つの端子における接続プラグ）
図１、図３、図４、および図５に示すように、各チャンバー１１は、例えば雌型接続プラグ−Ｅａｓｔｏｎソケットなど−として、それぞれの電気接続プラグを収容し、電力貯蔵アセンブリ３に電気的に接続された相補的な雄型コネクタ１０１をこのプラグに挿入することを意図している。そのような相補的な雄型コネクタは、２つの貯蔵アセンブリを接続する接続リンクに配置される。図４からより明確に分かるように、リンクは、平面Ｐに実質的に平行なアセンブリの端面（ここでは、下面）に配置されることによって、２つのアセンブリを接続する。雄型コネクタ１０１は、リンクの平面に垂直に延在するブレードからなる。
【００３２】
接続プラグを収容するチャンバーが存在することによって、モジュールを組み立てる前に、より正確には、支持装置のそれぞれの凹部に貯蔵アセンブリを挿入する前に、貯蔵アセンブリの接続ゾーンを規定することが可能になる。
【００３３】
それゆえ、凹部２に貯蔵アセンブリを挿入する前に、各接続プラグに電子カードを接続する接続ケーブル５を配置することが可能である。
【００３４】
これにより、電力貯蔵モジュールを組み立てるために必要な時間を削減することが可能となる。
【００３５】
図１に示す実施形態では、支持体は、それぞれ、６個の貯蔵アセンブリを電子カードに電気的に接続するための各接続プラグを収容することを意図した６個のチャンバーを含む。
【００３６】
各チャンバー１１は、主平面Ｐに垂直に、プレート１の外側の方へ延在する。
【００３７】
各チャンバー１１は、矩形の煙突を形成する４つの壁からなり、そこに、それぞれの接続プラグを挿入する。各チャンバーは、プレートに接続される端部と、対向する自由端部とを含む。チャンバーは、その端部の各々が開口している。
【００３８】
有利には、各チャンバーは、その内壁の１つに束縛部１１１を含み得る。この束縛部１１１は、プレートの主平面Ｐに平行に、煙突の内部の方へ突出する。これは、接続プラグをチャンバー内に結合することを可能にする。
【００３９】
束縛部１１１は先端部を有し、その先端部は、壁からその壁に対して傾斜して突出しており、その先端部は、コネクタ１０１がチャンバー１１に挿入されるチャンバーの自由端部に面し得る。これにより、チャンバーへのコネクタの挿入を容易にするのを可能にする。
【００４０】
好ましくは、傾斜した壁に対向する束縛部の壁は、束縛部１１１が突出する壁に垂直に延在する。これにより、接続プラグがチャンバー１１に挿入されたら、接続プラグをより良好に適所にロックすることを可能にする。
【００４１】
１．１．１．２．凹部（電子カードに接続するためのプラグ）
特に図１および図９から分かるように、支持装置は、電子カードに接続して電子カードの適したピンと協働可能であるプラグ１６を収容するための凹部１５を更に含む。
【００４２】
そのような凹部１５は、プレートの周辺に配置された、プレート１に垂直なパネル６に存在する。凹部１５は、コネクタを支持する縁部を含む。凹部の近くに間隙１７も設けられて、接続プラグの挿入を容易にし得る。ここで、間隙は、凹部１５の方へ向かうに従って狭まり、接続プラグを案内し、かつ自動化プロセスの場合に適している。
【００４３】
１．１．２．ケーブルを案内する手段
ガイド手段は、電子カードを電力貯蔵アセンブリ３に電気的に接続する接続ケーブル５の１つ以上を支持することを意図している。図示のガイド手段の２つのタイプを下記で説明する。
【００４４】
１．１．２．１．タブ
各タブ１１２は、主平面Ｐに垂直に、プレートの面から張り出している。
【００４５】
図１を参照して説明すると、タブは、チャンバー１１の結合端部付近で各チャンバーに関連付けられ、タブを通ってケーブルが接続プラグ１６まで通過する。各チャンバーおよびその関連のタブは、プレートの対向面に延びる。装置は、プレートに沿った、チャンバーに関連付けられない他のタブを更に含む。この組のタブは、プレートに対して接続ケーブルを確実に良好に配置することを可能にする。
【００４６】
図８に示すように、各タブは、タブの全高にわたって延在するスリット１１２１を含む。このスリットは、１つまたは複数の接続ケーブルを収容し、それゆえ、ケーブル用の通路チャネルを規定することを意図している。このスリットは、２つの対面するブランチ（またはフィンガー）１１２２、１１２３からなる弾性クランプを規定し、各ブランチの自由端部は、対面するブランチ１１２３、１１２２の方へ延びる先端突起（ｓｐｕｒ）（または突出物）１１２４、１１２５を含む。これにより、各接続ケーブル５をプレート１に対して適所にクリップ留めして支持することを可能にする。
【００４７】
図１に示す実施形態では、チャンバー１１は、プレート１の２つの対向する面に配置される。同様に、プレート１の両側にタブ１１２が設けられる。これにより、接続ケーブル５用に可能な通路チャネルの数を２倍にすることが可能であり、それゆえ、モジュールのエルゴノミクスを最適にすることが可能である。
【００４８】
１．１．２．２．ガイド
各ガイド１１３は、１つ以上の接続ケーブル５を案内することを可能にする。より正確には、各ガイド１１３は、内部に配置される接続ケーブル５が延在する方向を変えることができるようにする。
【００４９】
図６を参照して説明すると、各ガイド１１３は、主平面Ｐに垂直に、プレートの外側の方向に突出する。各ガイド１１３は、接続ケーブルの通路チャネルの両側に配置された２つのフィンガー１１３１、１１３２からなる。より正確には、接続ケーブルがガイド１１３に設置されたら、ケーブルはフィンガー１１３１と１１３２との間に延びる。
【００５０】
図６に示す実施形態では、各フィンガーは、通路チャネルの方向に、プレートに平行に延在するそれぞれの突出物を含む。これは、１つまたは複数の接続ケーブルをプレートに対して確実に良好に支持することを可能にする。
【００５１】
好ましくは、フィンガー１１３１、１１３２は、通路チャネルに沿って相互にオフセットしている。これにより、接続ケーブルの向きを変化させることを容易にする一方、依然として前記方向転換における接続ケーブルのプレートに対する良好な配置を保証することを可能にする。この場合、フィンガーは曲線とし得る（これは、プレートとフィンガーとの交点が曲線であることを意味する）。
【００５２】
１．２．凹部
凹部２は、
２つの電力貯蔵アセンブリ３および接続リンク１０、または
図示の実施形態の場合のように、単一の電力貯蔵アセンブリ３
を収容するためのものとし得る。
【００５３】
各凹部２は、図１に示すように、それぞれの電力貯蔵アセンブリを収容することを意図した貫通開口部からなり得る。装置は、プレートがアセンブリの中心部分に位置するように位置決めされ、アセンブリがプレートの両側面から突出することに留意されたい。それゆえ、プレートは、アセンブリの長手方向において、アセンブリの端面によって構成された機能領域から、ある距離に配置される。
【００５４】
これは、アセンブリに接続リンクをはんだ付けすることを視野に入れて、互いに対する電力貯蔵アセンブリの位置決めを容易にすることを可能にする。さらに、モジュールの取り付け作業を容易にする。実際に、図に示すように、接続プラグに接続されることを意図した接続ハードウェアをリンクに配置すると、既にはんだ付けされたリンクに対して接続プラグを調整するよりも、各リンクをその関連の接続プラグに対して調整するほうが簡単であり、その相対位置を変更し得る。
【００５５】
好ましくは、貫通開口部の形状および寸法は、蓋のスカート３２によって覆われない部分において、電力貯蔵アセンブリ３の側面３１の断面の形状および寸法に対応する。
【００５６】
これは、それぞれの開口部へ各電力貯蔵アセンブリ３を−場合により力によって−収めることを可能にする。
【００５７】
有利には、全ての凹部２が、開口部に位置決めされかつプレートの両側面でプレートに垂直に延在する１つ（またはそれを超える数）の壁を含み得る。
【００５８】
これにより、電力貯蔵アセンブリ上での装置のシミングおよびセンタリングを確実に行うことを可能にする。この壁の形状−シミング壁と称される−は、電力貯蔵アセンブリの側面３１の輪郭に少なくとも部分的に従う。
【００５９】
好ましくは、図５に示すように、この面の一方の端部は、その本体を取り囲むアセンブリの蓋のドーム形縁部（またはスカート）３２の一方の端部に当接することを意図する。これにより、モジュールの向きに関わらず、支持装置に対して電力貯蔵アセンブリがスライドしないようにすることを可能にし、前記モジュールは、必ずしも、貯蔵アセンブリの縦軸が垂直であるような向きにされているわけではない。
【００６０】
１．３．装置の他の要素
１．３．１．シャンク
シミング壁の変形形態として、またはシミング壁に加えて、装置は、プレートの面の一方において（またはその両面において）、プレートに垂直に延在する１つ（またはそれを超える数）のシャンク７を含み得る。
【００６１】
シャンクの長さは、シャンクの自由端部が電力貯蔵モジュールの底部と接触するのに十分であることを意図し、電力貯蔵モジュール内での装置のシミングを保証する。
【００６２】
各シャンク７は、シャンク７の縦軸に沿って延びるねじ付き盲開口部を含み得る。このねじ付き開口部は、装置をモジュールの壁に取り付けるための結合手段を収容することを意図している。
【００６３】
１．３．２．ベース
装置は、１つ（またはそれを超える数）の電子カードを収容することを意図したベースを更に含み得る。このベース６は、例えばプレート１の縁部に配置されている。
【００６４】
図１に示す実施形態では、ベースは：
プレートの一方の端部において、プレートから垂直に延在するパネル６、
４つのスタッド６１からなる取付手段であって、それぞれ、電子カードをスタッドに取り付ける手段を挿入するための孔を含む、取付手段
からなる。
【００６５】
図示の実施形態では、このベースに、ケーブルを電子カードに接続する接続プラグ１６を収容する凹部１５が形成されることに留意されたい。
【００６６】
１．３．３．クリップ
モジュールは、モジュールの特性を測定するためのセンサー−例えば温度センサー−を含み得る。
【００６７】
そのようなセンサーを取り付けることができるようにするために、支持装置は、弾性クリップなどのクリップを含んでもよく、クリップは、プレートから突出して形成され、かつセンサーをクリップ留めによって結合できるようにする。
【００６８】
１．３．４．ケーシング
支持装置は、ハウジングの少なくとも１つの壁に対して電力貯蔵モジュールを隔離するための手段を更に含み得る。
【００６９】
好ましくは、これらの隔離手段は、ハウジングの壁に沿って延在しかつ好ましくはハウジングの壁と同じ寸法を有する部分の少なくとも１つの壁からなる。
【００７０】
これは、ハウジングの壁と、発泡体のような絶縁性ライニングの支持装置との間の、同様に複雑な挿入を回避することを可能にする。そのような壁は、好ましくは、凹部が延びる平面に垂直である。
【００７１】
図２に示す実施形態では、構造は、平面Ｐに垂直な、プレートの縁部に延びる４つの壁からなるケーシング１２を含み、電力貯蔵アセンブリを取り囲む。
【００７２】
１．３．５．補強手段を案内する手段
図２から分かるように、装置は、モジュールが組立てられたらモジュールの全高にわたって延びるシャンク８０を更に含み得る。これらのシャンクは貫通開口部を含み、および、モジュールを補強し、特にモジュールの上壁と下壁を接続し、モジュールを機械的に補強するための手段を収容することが可能となる。そのようなシャンクは凹部間に位置する。これらシャンクにより、補強手段の適切な位置決め（クリープのない）、かつ貯蔵アセンブリからのそれら補強手段の隔離を確実に行うことを可能にする（そのような補強材は、金属、導体で作製されることが多い）。
【００７３】
２．製造方法
それゆえ、本発明は、多数の機能を組み込むのに適した手段を含む支持装置を使用し、これにより、モジュールを組み立てる貴重な時間を節約することを可能にする。その結果、支持装置を構成する部分が、コストのかかる追加的な部分であっても、多数の他の構成要素の使用を回避することを可能にし、かつ製造プロセスを単純にする。それゆえ、モジュールのコストを削減する。
【００７４】
以下、図１０を参照して、モジュールの製造方法の例を説明する。
【００７５】
方法の１つのステップ（ステップＡ）において、貯蔵アセンブリを凹部に組み入れる前に、電気的接続手段（すなわち接続プラグ、接続ケーブルなど）が支持装置上で組み立てられる。
【００７６】
支持装置に接続手段を配置することからなるこのステップは：
接続ケーブルをガイドおよびタブに取り付けて、プレートの壁に対して接続ケーブルを押しつけることによって、装置のプレートに接続ケーブルを配置するステップと、
チャンバー内の貯蔵アセンブリに接続プラグを配置するステップと、
凹部１５内の電子カードに接続するためのプラグを配置するステップと、
接続ケーブルを接続プラグに電気的に接続するステップと
からなるサブステップを含む。
【００７７】
装置上に接続手段が準備されたら、方法は以下のステップを含む：
支持装置のそれぞれの凹部に各貯蔵アセンブリを挿入するステップ（ステップＢ）。このステップの最中、特に、アセンブリのうちの３つが、蓋のスカート３２の端部がシミング壁に当接するまで、プレートの第１の側面から貫通開口部に挿入され、その後、装置をひっくり返して、他の３つのアセンブリが、各アセンブリの蓋のスカートの端部が、対応するシミング壁に当接するまで、プレートの他方の側面から挿入される、
２つの隣接する貯蔵要素を電気的に接続することを意図した接続リンクを、支持装置に配置された接続手段に電気的に接続するステップ（ステップＣ）。２つの隣接する貯蔵アセンブリ上に、前記隣接する貯蔵アセンブリを電気的に接続するために、接続リンクをはんだ付けするステップ（ステップＤ）。
【００７８】
より詳細には、ステップＣおよびＤは、モジュールの第１の端部に配置されたアセンブリの端部を相互接続するために、モジュールの一方の側面において実施される；その後、モジュールをひっくり返し、モジュールの他方の端部に配置されたアセンブリの端部を相互接続するために、ステップＣおよびＤを実施する。
【００７９】
その後、そのように得られた構造をモジュールハウジングに配置し、閉鎖する。
【００８０】
３．代替形態
読者は、ここで説明した新規の教示および利点から実質的に逸脱することなく、前述の装置に多数の修正形態を適用できることを理解するであろう。
【００８１】
例えば、支持体はプレートと一体化され、接続手段は、支持体およびプレートからなるアセンブリに埋め込まれる。この場合、支持体は、タブもガイドも含まないが、それぞれ電気的接続プラグを収容することを意図したチャンバーを含み得る。
【００８２】
装置はまた、モジュール式とし得る、すなわち、複数の相互接続された装置を含むアセンブリの一部分を構成する。これにより、単一タイプの装置から、可変数の貯蔵アセンブリを有するモジュールを作製することが可能となる。この場合、装置は、例えば、プレートの縁部において、本発明による２つの支持装置を一緒に結合できるようにする結合手段８を含み得る。
【図１】
0006297027.tif 000002
【図２】
0006297027.tif 000003
【図３】
0006297027.tif 000004
【図４】
0006297027.tif 000005
【図５】
0006297027.tif 000006
【図６】
0006297027.tif 000007
【図７】
0006297027.tif 000008
【図８】
0006297027.tif 000009
【図９】
0006297027.tif 000010
【図１０】
0006297027.tif 000011